(57)【要約】【課題】アナログ放送しか受信できない既存のテレビ装置２では、地上デジタル放送が開始されると、デジタルチューナ３を設けて、そのデジタルチューナ３のＲＦコンバータ３１から出力される信号をテレビ装置２に入力させる必要が生じる。赤外線式のリモコン２１では赤外線が浴室１の外側に行かないので浴室１の外側に設置されたデジタルチューナ３の操作をすることができない。【解決手段】風呂リモコン４に赤外線を受光する受光部を設け、その受光部でリモコン２１からの赤外線を受光しデジタルチューナ３に信号が伝達されるようにした。【選択図】  図１
2006295417.tif 000002
【特許請求の範囲】
【請求項１】
アナログ放送を受信可能なテレビ装置が設置された浴室の外部に配置することができ、このテレビ装置が受信できないデジタル放送を受信し、上記テレビ装置が受信できるアナログ信号に変換して出力すると共に、赤外線式リモコンから射出される赤外線を受光して作動が制御されるデジタルチューナと、浴室内に対向して取り付けられデジタルチューナへの赤外線を受光する受光部とを備えたことを特徴とするデジタル放送受信システム。
【請求項２】
上記浴室には給湯装置を制御する風呂リモコンが設置されており、上記受光部はこの風呂リモコンに設けられたことを特徴とする請求項１に記載のデジタル放送受信システム。
【請求項３】
上記受光部は浴室の壁面に固定されたことを特徴とする請求項１に記載のデジタル放送受信システム。
【発明の詳細な説明】
【技術分野】
【０００１】
本発明は、浴室にすでに設置されているテレビ装置でデジタル放送を鑑賞することのできるデジタル放送受信システムに関する。
【背景技術】
【０００２】
従来より浴室内にテレビ装置を取り付けて入浴中にテレビ放送を鑑賞することができるようにしたものが知られている。これらテレビ装置の多くはアナログ放送にしか対応しておらず、地上デジタル放送を受信できない。
【０００３】
地上デジタル放送は平成１５年から開始され平成１８年には全国に拡がり、更に平成２３年には地上アナログ放送が廃止される予定である。
【０００４】
このようにテレビ放送が地上アナログ放送から地上デジタル放送に移行していくと、地上デジタル放送を鑑賞するためにはテレビ装置自体を地上デジタル放送に対応したものに交換するか、テレビ装置とアンテナとの間にデジタルチューナを介在させる必要が生じる。
【０００５】
デジタルチューナを介在させる場合には、デジタルチューナを浴室の外部に設置する必要があるが、チャンネルの切替などはテレビ装置ではなくデジタルチューナに対して行う必要がある。
【０００６】
赤外線式のリモコンから射出される赤外線は浴室の壁面を透過することができないので浴室の壁面に新たにデジタルチューナ専用のリモコンを取り付け、そのリモコンとデジタルチューナとを連結する工事をする必要が生じる。ところが、このような工事は時間とコストがかかり、結局テレビ装置そのものを交換する手段に対して有利にはならない。
【０００７】
そこで、浴室の壁面に有線式の専用リモコンを設けるのではなく、浴室内から浴室外の機器の作動をコントロールするものとして電波を用いたリモコンが知られている（例えば、特許文献１参照）。
【特許文献１】特開２００４−１７７１０１号公報（段落００１５，００１６）
【発明の開示】
【発明が解決しようとする課題】
【０００８】
テレビ装置やデジタルチューナのリモコンは赤外線式のものがほとんどであり、浴室にすでに取り付けられているテレビ装置のリモコンも赤外線式である場合が一般的である。そのため、デジタルチューナ用に電波式のリモコンを用いると、依然としてデジタルチューナ専用のリモコンを用いなければならず、既設のテレビ装置のリモコンとデジタルチューナ用のリモコンとの２台のリモコンを必ず用いなければならないという不具合が生じる。
【０００９】
そこで本発明は、上記の問題点に鑑み、赤外線式のリモコンで浴室内からデジタルチューナの操作を行うことのできるデジタル放送受信システムを提供することを課題とする。
【課題を解決するための手段】
【００１０】
上記課題を解決するために本発明によるデジタル放送受信システムは、アナログ放送を受信可能なテレビ装置が設置された浴室の外部に配置することができ、このテレビ装置が受信できないデジタル放送を受信し、上記テレビ装置が受信できるアナログ信号に変換して出力すると共に、赤外線式リモコンから射出される赤外線を受光して作動が制御されるデジタルチューナと、浴室内に対向して取り付けられデジタルチューナへの赤外線を受光する受光部とを備えたことを特徴とする。
【００１１】
デジタルチューナの受光部を浴室内に対向させておけば、浴室内の赤外線式のリモコンで浴室外のデジタルチューナの作動を制御することができる。
【００１２】
なお、上記浴室には給湯装置を制御する風呂リモコンが設置されており、上記受光部はこの風呂リモコンに設けられてもよく、あるいは、上記受光部を浴室の壁面に固定してもよい。
【発明の効果】
【００１３】
以上の説明から明らかなように、本発明は、浴室内で使用されるリモコンが赤外線式のものであっても、浴室にデジタルチューナ専用のリモコンを取り付けたるすることなく赤外線式リモコンを用いて浴室外のデジタルチューナの操作を行うことができる。
【発明を実施するための最良の形態】
【００１４】
図１を参照して、１は浴室であり、この浴室１の内壁面にはテレビ装置２が取り付けられている。このテレビ装置２は地上アナログ放送の電波が入力されるアンテナ入力端子を備えており、そのアンテナ入力端子から入力されるアナログ放送信号を再生して画像を表示し、またテレビ音声を発音するものである。
【００１５】
このテレビ装置２の操作は赤外線式のリモコン２１によって行われる。このリモコン２１は防水構造が採用されている。このリモコン２１を操作することによりテレビ装置２の電源のオン／オフ、音量の増減、チャンネルの切替等を行うことができる。なお、テレビ装置２は地上アナログ放送専用の装置であるため、チャンネルは１から１２までしか選択することができない。これに対してリモコン２１は１から１２までのほかに、地上デジタル放送で採用されるＵＨＦ領域のチャンネルも操作できるように構成されている。なお、このＵＨＦ領域のチャンネルをリモコン２１で選択してもテレビ装置２はこのＵＨＦ領域に対応していないのでチャンネルが切り替わることはない。
【００１６】
３はデジタルチューナであり、浴室１の外部に設置されている。本実施の形態では浴室１の天井裏に設置したが、適宜の場所に設置してよい。このデジタルチューナ３には制御用の赤外線を受光する受光部が接続されており、その受光部は風呂リモコン４内に内蔵されている。この風呂リモコン４は図外の給湯装置の作動を制御するためのものである。そのため、この風呂リモコン４には給湯装置に対して通信線を介して接続されている。
【００１７】
浴室１の壁面であってこの風呂リモコン４が取り付けられている位置にはこの通信線を通すための穴が開けられており、上記受光部とデジタルチューナ３とを接続するリード線もその穴を通している。
【００１８】
上記デジタルチューナ３はデジタル放送用のデジタル信号を受信して画像信号と音声信号とを生成したあと、それら両信号をテレビ装置２のアンテナ入力端子に入力可能な信号に変換するＲＦコンバータ３１を備えている。
【００１９】
リモコン２１で例えばチャンネルを切り替える操作をすると、リモコン２１から射出された赤外線が風呂リモコン４の受光部に受光され、デジタルチューナ３に信号が伝達される。リモコン２１でデジタル放送の所望のチャンネルに切り替える操作をすると、信号は受光部からデジタルチューナ３に到達し、デジタルチューナ３のチャンネルがその選択されたチャンネルに切り替わる。なお、このときテレビ装置２のチャンネルは１または２に設定しておき、ＲＦコンバータ３１から入力される信号を再生できる状態にしておく。
【００２０】
このようにＵＨＦ領域のデジタル放送のチャンネルをリモコン２１で選択しても上述のようにテレビ装置２のチャンネルは１または２のまま切り替わらない。また、テレビ装置２の音量の増減はリモコン２１で行うことができる。
【００２１】
なお、本発明は上記した形態に限定されるものではなく、本発明の要旨を逸脱しない範囲内において種々の変更を加えてもかまわない。例えば、受光部を風呂リモコン４に内蔵させたが、浴室１の壁面に小さな穴を別途開設して、その穴から受光部が浴室１内に対向するように固定してもよい。
【図面の簡単な説明】
【００２２】
【図１】本発明の一実施の形態の構成を示す図
【符号の説明】
【００２３】
１  浴室
２  テレビ装置
２１  リモコン
３  デジタルチューナ
４  風呂リモコン
【図１】
2006295417.tif 000003